(57)【要約】【課題】一旦開封し容器の内容物を利用したあと、内容物の粘度が高くても、注出筒を塞がないようにすると共に、シールも確実に出来るヒンジキャップを提供する。【解決手段】キャップ本体１０と上蓋２０とをヒンジ３０により開閉自在に連結してなるヒンジキャップにおいて、上蓋２０のインナーリング２３の先端部に薄肉で下方に向かって外方に延びる掻き取り部２５を設け、掻き取り部２５の外面がキャップ本体１０の注出筒１３の内周面に密着することにより、脆弱ライン１５の破断後の容器２内の密封を保持することができ、プルリング１８により開口予定部１６を切除して開封し、注出筒１３から容器２内の内容物４を注出した後、キャップ本体１０に上蓋２０を被せる際、インナーリング２３先端の掻き取り部２５により、注出筒１３の側面に付着し残留した容器２の内容物４を掻き落とせるようにすることで、上記の課題を達成する。【選択図】 図６
2014015250.tif 000002
【特許請求の範囲】
【請求項１】
キャップ本体と上蓋とをヒンジにより開閉自在に連結したものであり、
前記キャップ本体は、天面と該天面の周縁から垂下し容器の口部に装着するスカート壁とで構成され、前記天面上に注出筒を形成すると共に、該注出筒内に設けた閉鎖中板に環状の脆弱ラインにて囲った開口予定部を形成し、且つ該開口予定部の近傍で該開口予定部
より内側の上面に支柱を介してプルリングを立設して、前記天面の前記注出筒より外側に前記上蓋を閉栓固定する外側壁を形成し、
前記上蓋は、天板と該天板の周縁から垂下する側壁とで構成され、前記天板の内面から垂下し前記注出筒の内周面に当接してシールするインナーリングを形成し、且つ前記ヒンジの反対側の前記側壁外面から外方に突出する鍔部を設けてなるヒンジキャップにおいて、
前記上蓋のインナーリングの先端部に薄肉で下方に向かって外方に延びる掻き取り部を設け、該掻き取り部の外面が前記注出筒の内周面に密着することにより、前記脆弱ラインの破断後の容器内の密封を保持することができ、前記プルリングにより前記開口予定部を切除して開封し、前記注出筒から前記容器内の内容物を注出した後、前記キャップ本体に前記上蓋を被せる際、前記インナーリング先端の前記掻き取り部により、前記注出筒の側面に残留した容器内容物を掻き落とせるようにしたことを特徴とするヒンジキャップ。
【請求項２】
前記キャップ本体における脆弱ラインは、上方側からスコアを形成することにより設け、且つ前記注出筒と前記閉鎖中板との境界に設けた請求項１記載のヒンジキャップ。
【請求項３】
前記上蓋のインナーリングにおける前記ヒンジ側の掻き取り部下に内容物のガイド部を設け、且つ前記キャップ本体の注出筒における前記ヒンジ側には、前記ガイド部からの内容物を受け入れる内容物受け部を設けた請求項１または２記載のヒンジキャップ。
【請求項４】
前記キャップ本体の注出筒内に設けた閉鎖中板は、前記ヒンジ側に下り傾斜させて、前記プルリングにより前記開口予定部を切除し易くすると共に、前記インナーリングのガイド部を収納し易くした請求項１乃至３のいずれか１項に記載のヒンジキャップ。
【発明の詳細な説明】
【技術分野】
【０００１】
本発明は、粘性の高い内容物を充填した容器の口部に装着し、上蓋の開閉が容易にできるヒンジキャップに関するものであって、より詳しくは、一旦開封し容器内容物を注出したあと、特に粘性の高い内容物の場合に、注出時に注出筒の内壁面に付着した内容物を掻き落として、注出筒の注出スペースを常に塞がないようにすることを可能にしたヒンジキャップに関する。
【背景技術】
【０００２】
ヒンジキャップは、キャップ本体と上蓋とがヒンジにより連結され、その上蓋の開閉自在性に加えてキャップ本体の易開封性も付与されて、利便性が高められていることから、調味料や天然果汁などの液状の内容物を収容する容器に多く使用されている。すなわち、このヒンジキャップは、キャップ本体を容器の口部に螺着あるいは打栓して液密にすると共に、容易に外れないようにして液密状態を維持する。更に、上記ヒンジ連結にて上蓋を開閉自在にし、また、ヒンジ連結のまま、ヒンジキャップを容器口部から螺着脱出来るものもある。
【０００３】
ヒンジキャップを冠した容器は、上蓋の開閉自在性ゆえに、調味料など使用頻度の高い液状の内容物を収容することが多く、その開閉をより容易化するために、上蓋に鍔部が設けられ、さらにキャップ本体に上蓋を被せたあと、使用時以外、キャップ本体から上蓋が離脱しないようになっている。しかしながら、容器の内容物が粘性の高い液状物、例えば、近年、料理の簡便性を狙って市場に出廻るようになった液状の味噌を収納した容器にヒンジキャップを使用した場合、キャップ本体の注出筒の内側面に液状の味噌が付着し、それが乾燥して固化した状態になると、注出筒の注出スペースを狭めることになり、不衛生であるばかりでなく、見栄え上も好ましいものとはいえないし、且つその分無駄になってしまう。
【０００４】
したがって、液状味噌の注出時に、注出筒の内側面に付着し残留した液状味噌は、その注出終了の度毎に、注出筒の内側面から除去してやれば、液状味噌の注出量が減少することもなく、無駄になることもないことになる。かかる観点から、ヒンジキャップのキャップ本体から上蓋を開けて、注出筒から液状味噌を適量注出したあと、上蓋を閉じる際、注出筒の内側面に付着し残留した液状味噌を掻き取ることが考えられる。
【０００５】
このように上蓋を閉じる際、液状味噌を掻き取ることが出来る可能性のあるヒンジキャップとしては、図７に示すように、キャップ本体５０と上蓋５１とをヒンジ５２により開閉自在に連結してあり、上蓋５１には中栓５３が設けられ、その中栓５３の先端部５３ａが下方に向かって外方に延びていて、容器５４の口部５５に上蓋５１を被せた際、口部５５の内周面に中栓５３の先端部５３ａが密接しているものがある（例えば、特許文献１参照）。
【０００６】
また、同様に、上蓋を閉じる際、液味噌を掻き取ることが出来る可能性のあるヒンジキャップは、図８、９に示すように、キャップ本体５０と上蓋５１とをヒンジ５２により開閉自在に連結してあり、キャップ本体５０に注出筒５６を立設し、上蓋５１に注出筒５６の内周面に当接してシールするインナーリング５７を形成していて、キャップ本体５０に上蓋５１を被せた際、注出筒５６の内周面にインナーリング５７の先端部にある膨出環５８が摺接しているものがある（例えば、特許文献２参照）。
【先行技術文献】
【特許文献】
【０００７】
【特許文献１】実公昭５８−４５２４０号公報
【特許文献２】特許第４９０７１８２号公報
【発明の概要】
【発明が解決しようとする課題】
【０００８】
特許文献１のヒンジキャップは、上蓋５１における中栓５３の先端部５３ａが下方に向かって外方に延びているから、容器５４の口部５５に上蓋５１を被せた際、口部５５の内周面に付着している内容物を、先端部５３ａにより掻き取れる蓋然性がある。しかしながら、この特許文献１の記載内容では、上蓋５１の中栓５３が容器５４の口部５５内周面に係合して高い瓶封効果が得られるとしており、中栓５３の先端部５３ａによって、容器５４の口部５５の内周面に付着している内容物を掻き取ることを示唆する記載はない。
【０００９】
また、特許文献２のヒンジキャップは、上蓋５１におけるインナーリング５７の先端部に膨出環５８があるから、キャップ本体５０に上蓋５１を被せた際、注出筒５６の内周面に付着している内容物を、膨出環５８により掻き取れる蓋然性がある。しかしながら、この特許文献２の記載内容では、容器５４の口部５５にヒンジキャップを打栓する際、キャップ本体５０の注出筒５６の内周面５６ａに、上蓋５１のインナーリング５７外周面に設けたリブ５９が乗り上げ、注出筒５６の内周面に摺接しているインナーリング５７の膨出環５８を浮き上がらせて空気の流通路を形成して、エアー抜きをし、打栓終了後リブ５９の乗り上げ状態を解消して、注出筒５６の内周面にインナーリング５７の膨出環５８が摺接して密封状態を保持するものであり、これもまた、インナーリング５７の膨出環５８によって、キャップ本体５０の注出筒５６の内周面に付着している内容物を掻き取ることを示唆する記載はない。
【００１０】
そこで、本発明の目的は、一旦開封し容器の内容物を利用したあと、キャップ本体に上蓋を被せる毎に、注出筒の側面に残留した容器の内容物を掻き落として、内容物の粘度が高くても、注出筒を塞がないようにすると共に、シールも出来るヒンジキャップを提供することにある。
【課題を解決するための手段】
【００１１】
本発明は、上記目的を達成するために提案されたものであって、下記の構成からなることを特徴とするものである。
すなわち、本発明によれば、キャップ本体と上蓋とをヒンジにより開閉自在に連結したものであり、前記キャップ本体は、天面と該天面の周縁から垂下し容器の口部に装着するスカート壁とで構成され、前記天面上に注出筒を形成すると共に、該注出筒内に設けた閉鎖中板に環状の脆弱ラインにて囲った開口予定部を形成し、且つ該開口予定部の近傍で該開口予定部より内側の上面に支柱を介してプルリングを立設して、前記天面の前記注出筒より外側に前記上蓋を閉栓固定する外側壁を形成し、前記上蓋は、天板と該天板の周縁から垂下する側壁とで構成され、前記天板の内面から垂下し前記注出筒の内周面に当接してシールするインナーリングを形成し、且つ前記ヒンジの反対側の前記側壁外面から外方に突出する鍔部を設けてなるヒンジキャップにおいて、
前記上蓋のインナーリングの先端部に薄肉で下方に向かって外方に延びる掻き取り部を設け、該掻き取り部の外面が前記インナーリングの内周面に密着することにより、前記脆弱ラインの破断後の容器内の密封を保持することができ、前記プルリングにより前記開口予定部を切除して開封し、前記注出筒から前記容器内の内容物を注出した後、前記キャップ本体に前記上蓋を被せる際、前記インナーリング先端の前記掻き取り部により、前記注出筒の側面に残留した容器内容物を掻き落とせるようにしたことを特徴とするヒンジキャップが提供される。
【００１２】
また、本発明によれば、前記キャップ本体における脆弱ラインは、上方側からスコアを形成することにより設け、且つ前記注出筒と前記閉鎖中板との境界に設けたヒンジキャップが提供される。
【００１３】
また、本発明によれば、前記上蓋のインナーリングにおける前記ヒンジ側の掻き取り部下に内容物のガイド部を設け、且つ前記キャップ本体の注出筒における前記ヒンジ側には、前記ガイド部からの内容物を受け入れる内容物受け部を設けたヒンジキャップが提供される。
【００１４】
また、本発明によれば、前記キャップ本体の注出筒内に設けた閉鎖中板は、前記ヒンジ側に下り傾斜させて、前記プルリングにより前記開口予定部を切除し易くすると共に、前記インナーリングのガイド部を収納し易くしたヒンジキャップが提供される。
【００１５】
上記請求項１に係る発明の作用は、キャップ本体から上蓋を開け、プルリングにより開口予定部を切除して開封し、注出筒から容器の内容物を注出した後、キャップ本体に上蓋を被せる際、インナーリング先端の掻き取り部が薄肉のためたわみ、被せ易くし、注出筒の側面に付着し残留した容器の内容物を、インナーリング先端の掻き取り部により掻き取り容器内に戻し、その掻き取り後に掻き取り部によりシールすることが出来る。
【００１６】
また、請求項２に係る発明の作用は、プルリングにより、開口予定部を注出筒と閉鎖中板との境界に設けた脆弱ラインのスコアに沿い切除して開封して、注出筒内に閉鎖中板を残さず、掻き取り部により掻き取った容器の内容物を、そのまま容器内に戻すことが出来る。
【００１７】
また、請求項３に係る発明の作用は、一旦開封し容器の内容物を利用したあと、再度キャップ本体から上蓋を開閉して容器の内容物を利用する際、上蓋のインナーリング内に残留した内容物は、インナーリングのガイド部とキャップ本体の注出筒における内容物受け部とが相俟って、インナーリング及び注出筒外に出ることがない。
【００１８】
さらに、請求項４にかかる発明の作用は、プルリングにより脆弱ラインに囲われた開口予定部を切除する際、閉鎖中板がヒンジ側に下り傾斜しているからその分切除し易く、且つヒンジ側の注出筒内にスペースが生じ、インナーリングのガイド部を収納することが出来る。
【発明の効果】
【００１９】
本発明請求項１に係るヒンジキャップによれば、一旦開封し容器の内容物を利用したあと、キャップ本体に上蓋をスムーズに被せ易く、上蓋を被せる際度毎に、注出筒の側面に残留した容器の内容物を掻き落として、内容物の粘度が高いものであっても、注出筒の注出スペースを塞がないようにすると共に、シールも出来る効果がある。
【００２０】
また、本発明請求項２に係る発明のヒンジキャップによれば、上記の効果に加えて、掻き取り部により掻き取った内容物を、閉鎖中板に邪魔されずにそのまま容器内に戻せる効果がある。
【００２１】
また、本発明請求項３に係る発明のヒンジキャップによれば、上記の効果に加えて、上蓋のインナーリング内に内容物が残留していても、上蓋の開閉時にインナーリング及び注出筒外に出ることがなく、周囲を内容物により汚すことがない効果がある。
【００２２】
また、本発明請求項４に係る発明のヒンジキャップによれば、上記の効果に加えて、プルリングにより開口予定部を切除し易く、且つ、インナーリングのガイド部を容易に収納出来る効果がある。
【図面の簡単な説明】
【００２３】
【図１】本発明の実施の形態を示すヒンジキャップの閉じた状態の縦断面図である。
【図２】容器の口部に図１のヒンジキャップを打栓し、上蓋をわずかに開いた状態の縦断面図である。
【図３】図１のヒンジキャップの完全に開いた状態の縦断面図である。
【図４】図１のヒンジキャップの完全に開いた状態の平面図である。
【図５】図１のヒンジキャップの利用状態を示す縦断面図である。
【図６】図１のヒンジキャップの利用状態を示す縦断面図である。
【図７】従来例を示す縦断面図である。
【図８】従来例を示す縦断面図である。
【図９】図８の一部拡大断面図である。
【発明を実施するための形態】
【００２４】
以下に、図面を参照して本発明を実施するための形態を説明する。
【実施例１】
【００２５】
図面において、１はヒンジキャップであり、このヒンジキャップ１は、キャップ本体１０と上蓋２０とをヒンジ３０により開閉自在に連結したものである。
前記キャップ本体１０は、天面１１とその天面１１の周縁から垂下し容器２の口部３に装着するスカート壁１２とで構成され、その天面１１上に注出筒１３を形成すると共に、この注出筒１３内に設けた閉鎖中板１４に環状の脆弱ライン１５にて囲った開口予定部１６を形成し、且つこの開口予定部１６の近傍で開口予定部１６より内側の上面に支柱１７を介してプルリング１８を立設して、天面１１の注出筒１３より外側に前記上蓋２０を閉栓固定する外側壁１９を形成し、前記上蓋２０は、天板２１とこの天板２１の周縁から垂下する側壁２２とで構成され、天板２１の内面から垂下し前記注出筒１３の内周面に当接してシールするインナーリング２３を形成し、且つ前記ヒンジ３０の反対側の側壁２２外面から外方に突出する鍔部２４を設けてなるものである。
【００２６】
前記上蓋２０のインナーリング２３の先端部に薄肉で下方に向かって外方に延びる掻き取り部２５を設け、この掻き取り部２５の外面が前記注出筒１３の内周面に密着することにより、前記脆弱ライン１５の破断後の前記容器２内の密封を保持することができ、前記プルリング１８により開口予定部１６を切除して開封し、注出筒１３から容器２内の内容物４を注出した後、キャップ本体１０に上蓋２０を被せる際、インナーリング２３先端の掻き取り部２５により、注出筒１３の内側面に付着し残留した容器２の内容物４を掻き落とせるようにしたものである。
【００２７】
なお、キャップ本体１０に上蓋２０を被せる際、注出筒１３の上部の内側面にはインナーリング２３先端の掻き取り部２５が摺接しない範囲が生じ、この範囲に残留した内容物４は十分に掻き落とされない畏れがある。この不具合を回避するためには、前記注出筒１３の内周面を実質的に垂直に形成することが好ましい。
注出筒１３の内側面が垂直とすることで、注出筒１３の内側面に付着し残留した内容物４は自重で流下する可能性が高まり、かつ、上蓋２０を被せる際にインナーリング２３先端との摺接の開始高さを注出筒１３のより上端側からとすることができ、内容物４が自重で流下する効果と相まって、注出筒の上部の内周面に内容物が残留することを有効に回避できる。
【００２８】
前記ヒンジキャップ１を冠する容器２は、その口部３に、キャップ本体１０を打栓あるいは螺着などにより、装着できるものであれば特に限定がなく、どのようなタイプ、材質でも良い。この実施例１の容器２では、キャップ本体１０の天面１１の下面に内筒５を前記スカート壁１２と同心円状に設けて、これらスカート壁１２と内筒５との間に形成された装着部６を容器２の口部３にあてがい、打栓することにより、容器２にヒンジキャップ１を冠している。このヒンジキャップ１は、液味噌などの粘性の高い内容物を頻繁に小出しするものに使用し、上蓋２０による開閉が比較的多く行われ、且つ、キャップ本体１０の注出筒１３の内側面に付着し残留しやすい場合に使用することを想定している。
【００２９】
前記キャップ本体１０は、上述のとおり、その天面１１の下面に内筒５をスカート壁１２と同心円状に設けて形成した装着部６を、容器２の口部３にあてがい打栓することにより、液密になる。更に、既述のとおり、キャップ本体１０に上蓋２０がヒンジ３０を介して開閉連結されているから、上蓋２０はヒンジ３０を中心として回動出来ることになる。そして、前記注出筒１３より外側の天面１１上には、前述のとおり、前記外側壁１９が設けられているから、仮に注出筒１３から液だれがあっても、外側壁１９から直ちに外部にこぼれ出ないようになっている。
【００３０】
キャップ本体１０における前記脆弱ライン１５は、上方側からスコア１５ａを形成してあり、且つ注出筒１３と前記閉鎖中板１４との境界に設けてあるため、前記プルリング１８により、前記開口予定部１６をこの脆弱ライン１５のスコア１５ａに沿い切除して開封すれば、注出筒１３内に閉鎖中板１４を全く残さず、前記掻き取り部２５により掻き取った内容物４を、そのままスムーズに容器２内に戻すことが出来る。
【００３１】
また、キャップ本体１０の注出筒１３内に設けた閉鎖中板１４は、前記ヒンジ３０側に下り傾斜させてあり、プルリング１８により開口予定部１６を切除し易くすると共に、前記インナーリング２３の後述するガイド部２６を収納し易くしている。したがって、閉鎖中板１４がヒンジ３０側に下り傾斜しているから、閉鎖中板１４に付けられた脆弱ライン１５も下り傾斜となり、その分脆弱ライン１５のスコア１５ａが裂け易くなり、開口予定部１６を切除し易く、その上、ヒンジ３０側の注出筒１３内にスペースが生じ、インナーリング２３のガイド部２６を収納出来るようになる。
【００３２】
前記上蓋２０は、既に述べたように、天板２１下に外側から内側にかけて順次、側壁２２、インナーリング２３が垂下形成され、側壁２２の一端がヒンジ３０によって開閉自在に連結され、側壁２２の他端には鍔部２４が設けられて、上蓋２０の開閉を容易にしている。さらに、側壁２２の内周面にはリング状溝２２ａが設けられ、キャップ本体１０の外側壁１９との協同により、開封後の上蓋２０の外れを防ぐと共にゴミなどの侵入を防いでいる。
【００３３】
また、上蓋２０のインナーリング２３におけるヒンジ３０側の掻き取り部２５下に内容物４のガイド部２６を設け、且つキャップ本体１０の注出筒１３におけるヒンジ３０側には、ガイド部２６からの内容物４を受け入れる内容物受け部２７を設けている。したがって、一旦開封し容器２の内容物４を利用したあと、再度キャップ本体１０から上蓋２０を開閉して容器２の内容物４を利用する際、上蓋２０のインナーリング２３内に残留した内容物４は、インナーリング２３のガイド部２６とキャップ本体１０の注出筒１３における内容物受け部２７とが相俟って、インナーリング２３及び注出筒１３から外部に出ることがない。
【００３４】
次に、上記構成になるヒンジキャップ１の利用方法について説明する。
まず、キャップ本体１０に上蓋２０を嵌めて、図１に示す閉じた状態のヒンジキャップ１にし、容器２内に液状味噌などの内容物４を充填したあと、容器２の口部３にヒンジキャップ１を装着、すなわち、容器２の口部３にヒンジキャップ１をあてがい打栓して、容器２内を密封する（図２参照）。その後、必要に応じてヒンジキャップ１付き容器２を包装して最終製品とする。
【００３５】
使用にあたっては、上蓋２０の鍔部２４に手指を掛けて上蓋２０を押し上げれば、上蓋２０を開けることができ、キャップ本体１０の注出筒１３から上蓋２０のインナーリング２３を外すことになり、そのあと、プルリング１８により開口予定部１６を脆弱ライン１５のスコア１５ａに沿って切除して開封する。
【００３６】
そして、容器２内の液状味噌などの内容物４を必要量だけ、注出筒１３から別の容器などに注出することが出来る。その内容物４を注出し終わった後、キャップ本体１０に上蓋２０を被せることになるが、インナーリング２３先端の掻き取り部２５が薄肉のため、容易にたわみ被せ易く、しかも注出筒１３の内側面に付着し残留した内容物４を、インナーリング２３先端の掻き取り部２５により掻き取ることが出来る。一方、掻き取られた内容物４は、注出筒１３内の閉鎖中板１４が完全に除去されているから、スムーズに容器２内に戻されることになる。その掻き取り後に、この掻き取り部２５により注出筒１３はシールされ、容器２内の内容物４が漏れないように密封される。以後、容器２内の内容物４を使い切るまで、上記した同じ動作を繰り返すことになる（図５参照）。
【００３７】
なお、容器２内の内容物４を使い切るまでの過程で、内容物４の沈殿などを防止するため容器を振ったり、あるいは横倒しになったりして、上蓋２０のインナーリング２３内に内容物４が付着残留する現象が生じることになる。そして、キャップ本体１０から上蓋２０を開ける際、その外力により、インナーリング２３内に付着残留している内容物４がヒンジ３０側の注出筒１３に垂れ落ちるが、掻き取り部２５先端のガイド部２６にガイドされ、内容物受け部２７に内容物４が垂れ落ち、且つ、キャップ本体１０に上蓋２０を被せる際、掻き取り部２５及びガイド部２６の協同により、内容物受け部２７に垂れ落ちた内容物４を掻き取り、容器２内に戻す（図６参照）。したがって、注出筒１３及びインナーリング２３の外部を内容物４により汚すことがないことになる。
【００３８】
以上、本発明の実施例１を説明したが、具体的な構成はこれに限定されず、本発明の要旨を逸脱しない範囲での変更は、適宜可能であることが理解されるべきである。
【産業上の利用可能性】
【００３９】
本発明のヒンジキャップは、一旦開封し容器の内容物を利用したあと、キャップ本体に上蓋を被せる毎に、注出筒の側面に残留した容器の内容物を掻き落として、内容物の粘度が高くても、注出筒を塞がないようにすると共に、シールも確実にしたいような場合に、その利用可能性が極めて高くなる。
【符号の説明】
【００４０】
１                        ヒンジキャップ
２、５４                  容器
３、５５                  口部
４                        内容物
１０、５０                キャップ本体
１１                      天面
１２                      スカート壁
１３、５６                注出筒
１４                      閉鎖中板
１５                      脆弱ライン
１５ａ                    スコア
１６                      開口予定部
１７                      支柱
１８                      プルリング
１９                      外側壁
２０、５１                上蓋
２１                      天板
２２                      側壁
２２ａ                    リング状溝
２３、５７                インナーリング
２４                      鍔部
２５                      掻き取り部
２６                      ガイド部
２７                      内容物受け部
３０、５２                ヒンジ
５３                      中栓
５３ａ                    先端部
５６ａ                    内周面
５８                      膨出環
５９                      リブ
【図１】
2014015250.tif 000003
【図２】
2014015250.tif 000004
【図３】
2014015250.tif 000005
【図４】
2014015250.tif 000006
【図５】
2014015250.tif 000007
【図６】
2014015250.tif 000008
【図７】
2014015250.tif 000009
【図８】
2014015250.tif 000010
【図９】
2014015250.tif 000011